(57)【要約】【課題】玉網を取り付けない場合であっても無駄になることのない玉網止め具を備えた釣竿ケースを提供することを課題とする。【解決手段】本体開口部１０とポケット開口部２０が各々スライドファスナーにより開閉可能であり、各スライドファスナーは頭合わせにスライダを一対備え、各スライダには玉枠Ｗ１を繋止する玉網止め具４１が設けられている。【選択図】      図４
2004344124.tif 000002
【特許請求の範囲】
【請求項１】
スライドファスナーにより開閉可能な開口部を有する釣竿ケースであって、スライドファスナーのスライダに、玉網を取り付けるための玉網止め具が設けられていることを特徴とする釣竿ケース。
【請求項２】
玉網止め具は玉枠を繋止可能に構成されている請求項１記載の釣竿ケース。
【請求項３】
釣竿を出し入れするための本体開口部がスライドファスナーにより開閉可能に構成され、該本体開口部のスライドファスナーのスライダに玉網止め具が設けられている請求項２記載の釣竿ケース。
【請求項４】
スライドファスナーは、スライダを頭合わせに一対備えている請求項２記載の釣竿ケース。
【請求項５】
一対のスライダの双方に各々玉網止め具が設けられている請求項４記載の釣竿ケース。
【請求項６】
玉網止め具は、一対の繋止片から構成され、該繋止片は、先端部同士が連結、離反可能であって該先端部同士が連結されることによりループ状となって玉枠を繋止する請求項２記載の釣竿ケース。
【請求項７】
ケースの外面にはポケットが設けられ、釣竿を出し入れするための本体開口部と前記ポケットのポケット開口部とが共にスライドファスナーにより開閉される構成であり、両スライドファスナーの各々に玉網止め具が設けられている請求項２記載の釣竿ケース。
【請求項８】
少なくとも本体開口部のスライドファスナーはスライダを頭合わせに一対備えている請求項７記載の釣竿ケース。
【発明の詳細な説明】
【０００１】
【発明の属する技術分野】
本発明は、釣竿を収納する釣竿ケースの改良に関する。
【０００２】
【従来の技術】
例えば、磯竿などの振り出し式の釣竿を収縮させた状態で収納して釣り場まで携帯する目的のためにこの種の釣竿ケースは使用される。ところで、磯釣りや波止釣り等の場合には一般に玉網を使用することが多く、そのため、釣り場には釣竿と共に玉網も携帯する必要がある。一般的な玉の柄（玉網の柄）の仕舞寸法は１２０ｃｍ程度であり、その玉網を釣竿ケースとは別に手で持って釣り場まで携帯することが多い。しかしながら、釣り人によっては、釣竿ケースに玉の柄を差し込んでその玉枠が釣竿ケースから突出した状態で携帯する場合もある。例えば、ワンピースの玉枠を使用するような場合や、四つ折り等に折り畳み可能な玉枠であってもそれを折り畳まずに玉の柄に取り付けた状態で釣り場まで携帯したい場合などにおいて、手で持つのではなく釣竿ケースにできるだけ収納して運びたいと考える場合である。
【０００３】
【発明が解決しようとする課題】
しかしながら、釣竿ケースに玉の柄を上方から単に差し込んだのみでは、例えば、釣竿ケースの把手を把持して略水平状態として携帯すると、玉網が釣竿ケースの長手方向にスライドして釣竿ケースから抜け出るおそれがある。そのため、釣竿ケースの外面上部に、釣竿ケースから上方に突出した玉枠を固定するためのフックをその先端に備えた固定ベルトが縫着されたものもある。しかしながら、上述したように、釣竿ケースとは別に玉網を手で持ったり、あるいは、玉の柄から四つ折りタイプの玉枠を分離して両者共に釣竿ケースに収納して携帯したりすることも多いため、それらの場合には固定ベルトは全く使用されないことになる。このように玉枠を固定するために専用の固定ベルトを釣竿ケースの外面上部に縫着しても、その固定ベルトが全く使用されない場合もあった。
【０００４】
それゆえに本発明は、上記従来の問題点に鑑みてなされ、玉網を取り付けない場合であっても無駄になることのない玉網止め具を備えた釣竿ケースを提供することを課題とする。
【０００５】
【課題を解決するための手段】
本発明は、上記課題を解決すべくなされたものであり、本発明に係る釣竿ケースは、スライドファスナーにより開閉可能な開口部を有する釣竿ケースであって、スライドファスナーのスライダに、玉網を取り付けるための玉網止め具が設けられていることを特徴とする。
【０００６】
該構成の釣竿ケースにあっては、スライドファスナーのスライダに玉網止め具が設けられているので、該玉網止め具に玉網を取り付けることにより、玉網を釣竿ケースと共に携帯することができる。そして、玉網止め具はスライダに設けられているので、玉網止め具はスライダの引き手として機能し、該玉網止め具を把持して容易にスライダを開閉操作することができる。
【０００７】
玉網止め具は、玉網の何れの部位を取り付ける構成であってもよいが、特に、玉枠を繋止可能に構成されていることが好ましい。一般に玉の柄と玉枠とは分離可能であって玉の柄は釣竿ケースに収納することができる一方、ワンピースの玉枠を使用する場合や四つ折り等の折り畳み可能な玉枠であっても折り畳まずに広げた状態のままで携帯する場合には、スライダに設けた玉網止め具に玉枠を繋止することにより玉枠を釣竿ケースと共に携帯することができる。また、玉の柄よりも玉枠の方が細いので玉網止め具の大型化を防止することができる。
【０００８】
また、釣竿を出し入れするための本体開口部がスライドファスナーにより開閉可能に構成され、本体開口部はケースの上面まで達し、該本体開口部のスライドファスナーのスライダに玉網止め具が設けられていることが好ましい。上述したように、玉の柄を釣竿ケースに差し込んで玉枠をケース上方に突出させて携帯するような使用を行う場合に効果があり、ケースから上方に突出した玉枠をスライダに設けた玉網止め具で繋止することにより、ケースから玉網が抜け出ることが防止される。
【０００９】
一方、スライドファスナーは、スライダを頭合わせに一対備えていることが好ましい。スライダはシングルタイプであっても無論よいが、スライダを一対備えたダブルタイプとすることが好ましい。ダブルタイプの場合、一対のスライダを互いの頭部同士を向かい合うようにした頭合わせとしたものと、互いの尻部同士を向かい合うようにした尻合わせとしたものとがあるが、頭合わせの構成とすることにより両スライダを接近させると開口部を閉状態にすることができるため好ましい。即ち、玉網止め具はスライダに設けられているのでスライダを移動させることによりその位置を任意に変更することができるが、頭合わせの一対のスライダの少なくとも一方に玉網止め具を設ければ、スライダの移動により玉網止め具の位置を変更しても開口部を常に閉状態とすることができる。従って、玉網止め具の位置を任意に変更してその位置に玉枠を取り付けることができる。また、玉網止め具に玉枠を取り付けた状態でそのスライダを移動させるとその移動に伴って玉枠も同時に移動することとなり、取付位置の変更の都度、玉網止め具から玉枠を取り外す必要がなく玉枠の取付位置を容易に変更することができる。
【００１０】
その場合、一対のスライダの双方に各々玉網止め具が設けられていることが好ましい。双方のスライダに各々玉網止め具を設けると、両玉網止め具によって確実に玉枠を取り付けることができる。各々のスライダに設けておけば、仮に釣り場で片方のスライダの玉網止め具が破損等して使用できなくなっても帰路には他方の玉網止め具に玉枠を取り付けることができる。しかも、頭合わせの構成であるので、両玉網止め具に玉枠を取り付けた状態のままその取付位置を両スライダの移動により変更しても開口部は閉状態のままに維持され、取付位置の変更作業がより一層容易になる。
【００１１】
一方、玉網止め具は種々の構成を採用可能であるが、一対の繋止片から構成され、該繋止片は、先端部同士が連結、離反可能であって該先端部同士が連結されることによりループ状となって玉枠を繋止することが好ましい。一対の繋止片の先端部同士を連結させることでループ状となる構成であるので、比較的太い玉枠であっても先端部同士を離反、連結させることにより容易に玉枠の取り付け、取り外しを行うことができる。
【００１２】
また、ケースの外面にはポケットが設けられ、釣竿を出し入れするための本体開口部と前記ポケットのポケット開口部とが共にスライドファスナーにより開閉される構成であり、両スライドファスナーの各々に玉網止め具が設けられていることが好ましい。この場合、本体開口部側のスライダに設けられた玉網止め具を使用して玉枠を取り付けることの他、ポケット開口部のスライダの玉網止め具を使用して玉枠を取り付けることもでき、使い方のバリエーションが増す。
【００１３】
そして、このように本体開口部とポケット開口部の双方に玉網止め具を設けた構成とする場合には、少なくとも本体開口部のスライドファスナーのスライダは頭合わせに一対備えることが好ましい。本体開口部の両スライダを頭合わせの構成とすれば、何れの位置に両スライダをセットしても本体開口部を閉状態とすることができる。従って、本体開口部の両スライダを適宜移動させることで、ポケット開口部側の玉網止め具と本体開口部側の玉網止め具の双方に玉枠を取り付けることができ、しかも玉枠のサイズに応じて本体開口部側の玉網止め具とポケット開口部側の玉網止め具との離間距離を調節することによって、玉枠をぐらつかせることなく安定的に取り付けることができる。
【００１４】
【発明の実施の形態】
以下、本発明に係る釣竿ケースの一実施形態として図１乃至図５を参酌しつつ説明する。
図１に示す釣竿ケースは、釣竿が収納可能な竿収納部２と、該竿収納部２の一側面に設けられたポケット３とを有するケース本体１を備えている。竿収納部２は、縦長の四つの側面を有している。即ち、竿収納部２は、肩掛けベルト４と把手５とが取り付けられた背面６と、該背面６に対向した反対側の前面７と、前面７と背面６とを前後に連結する左右両側面８とから縦長筒状に形成されている。そして、前面７と左側面８との間にスライドファスナーによって開閉される縦方向に沿った本体開口部１０が形成され、該本体開口部１０を開けてそこから釣竿を竿収納部２に出し入れする構成となっている。
【００１５】
尚、この釣竿ケースは、釣竿をリールを付けた状態のままで収納できるように、竿収納部２の左右両側面８は、下端から略１／３付近の部分を頂点として前方に円弧状に膨出した形状であり、この前方への膨出部により竿収納部２は局所的に前方側にゆとりを有し、従って、リール付き釣竿を容易に収納することができる。また、竿収納部２の下端開口は合成樹脂成型品の底キャップ１１により閉塞され、竿収納部２の上端開口は前面７の上端部が背面６まで延設されることにより閉塞されている。そして、本体開口部１０は竿収納部２の上端開口縁部まで達しており、従って本体開口部１０のスライドファスナーにより竿収納部２の上方を開口させることができる。
【００１６】
一方、前記ポケット３は、竿収納部２の左側面８に側方に突出するように設けられている。ポケット３は、竿収納部２の膨出部の形成位置に設けられ、該膨出部の形状に対応した形状であって、その前端部は略円弧状となっている。また、ポケット３は竿収納部２の左側面８から側方に突出形成され、その前端部にスライドファスナーにより開閉するポケット開口部２０が縦方向に沿って設けられている。尚、ポケット開口部２０は、ポケット３の上端部から下端部まで設けられている。
【００１７】
このように釣竿ケースの本体開口部１０とポケット開口部２０にはスライドファスナーが設けられているが、両スライドファスナーは共に一対のスライダ３０を頭合わせに備えている。両スライドファスナーは共に同じ構成であってそのスライダ３０も同じであり、以下、このスライダ３０の構成について詳述する。
【００１８】
図２にスライダ３０の平面図を図３にはその正面図を示しているが、該スライダ３０は、胴体とも称されるスライダ本体３１と、該スライダ本体３１に取り付けられた引き手３２とからなる。スライダ本体３１は、左右一対のエレメント（図示省略）を噛み合わせたり離反させたりするためのものであり、スライダ本体３１のスライド移動により左右のエレメントはスライダ本体３１の頭部３１ａから入って噛み合わされた後にスライダ本体３１の尻部３１ｂから出ていく。引き手３２はスライダ本体３１をスライド操作する際に把持される部分であって、スライダ本体３１の天面に設けられた支持柱部３１ｃに揺動可能に枢着されている。より詳細には、引き手３２は、スライダ本体３１に枢着された引き手本体４０と、該引き手本体４０の先端部に装着された玉網止め具４１とからなる。
【００１９】
引き手本体４０は、金属製あるいはプラスチック製であって薄板状に形成されており、その基端部と先端部には各々貫通孔４２，４３が形成されている。そして、基端部側の貫通孔４２を前記スライダ本体３１の支持柱部３１ｃが貫通している。スライダ本体３１の支持柱部３１ｃは、スライダ３０のスライド方向に沿って延びており、従って、引き手本体４０は支持柱部３１ｃをガイドとしてスライド方向に沿って回動しながら移動可能である。また、引き手本体４０はスライド方向に対して直交する方向にも回動可能であるが、引き手本体４０の基端部側の貫通孔４２は支持柱部３１ｃよりも大型であるので、引き手本体４０の動きにはかなりの自由度を持たせることができる。
【００２０】
そして、引き手本体４０の先端部側の貫通孔４３に玉網止め具４１が取り付けられている。該玉網止め具４１は、玉網を釣竿ケースに取り付けるためのものである。具体的には、玉網Ｗは、玉の柄Ｗ２と、玉の柄Ｗ２の先端に着脱自在に取り付けられる環状の玉枠Ｗ１と、該玉枠Ｗ１に取り付けられる網とを備えているが、そのうちの玉枠Ｗ１を繋止可能な構成となっている。即ち、玉網止め具４１は一対の繋止片５０から構成され、両繋止片５０はシート部材から帯状に形成されて互いに重ね合わせられている。そして、両繋止片５０の先端部には、互いに係止可能なドット釦５１が設けられ、該ドット釦５１により先端部内面同士が互いに重なり合うように連結、離反可能に構成されている。また、図３のように、両繋止片５０は、一枚の帯状のシート部材が引き手本体４０の先端部側の貫通孔４３を挿通し該貫通孔４３を折り返し点として二つ折りにされたものである。尚、この折り返し状態を維持するために、両繋止片５０の基端部同士が固定具５２により固着されている。従って、両繋止片５０は、固定具５２から先端側の領域が全て離反可能に構成され、上述したようにドット釦５１によって先端部同士を連結することにより、固定具５２とドット釦５１の間の領域がループ状となり、両繋止片５０で玉枠Ｗ１の全周のうちの一部分を挟み込むことができる。
【００２１】
尚、繋止片５０を構成するシート部材としては、耐久性から人工皮革や天然皮革が好ましい。人工皮革としては、例えばポリエステル短繊維等の不織布の表面に微多孔質のポリウレタンからなる薄膜が積層されたものを使用できる。
【００２２】
本実施形態のスライダ３０は以上のような構成からなり、図２の矢印Ａの方向が開く方向で、矢印Ｂの方向は閉じる方向である。従って、図２に二点鎖線で示すように一対のスライダ３０を接近させると開口部（本体開口部１０，ポケット開口部２０）は閉じ、逆に一対のスライダ３０を互いに離反させると開口部は開いていく。そして、本実施形態では、このスライダ３０が本体開口部１０に一対、ポケット開口部２０にも一対設けられており、従って、合計四つの玉網止め具４１を有している。
【００２３】
本実施形態における釣竿ケースは以上のような構成からなり、次にその使用状態について説明する。
例えば、ワンピースの玉枠Ｗ１を使用する場合、玉の柄Ｗ２は竿収納部２に収納することができるが、四つ折り等の折り畳みタイプの玉枠Ｗ１の場合のようにポケット３に収納することはできない。その場合、図４に示すように、合計四つの玉網止め具４１に玉枠Ｗ１を取り付けることができる。即ち、ポケット開口部２０の一対のスライダ３０を接近状態でポケット開口部２０の上端部に位置させ、両玉網止め具４１で玉枠Ｗ１の下側を繋止する。また、本体開口部１０の一対のスライダ３０を接近状態で適宜移動させて、玉枠Ｗ１の上側を両玉網止め具４１で同様に繋止する。このように、本体開口部１０側の玉網止め具４１とポケット開口部２０側の玉網止め具４１とによって玉枠Ｗ１をその周方向に所定角度離間した二箇所の部位において繋止することができるので、玉枠Ｗ１が揺動することなく安定させることができる。しかも、この取付状態を維持したままで玉枠Ｗ１を上下に移動させることができ、玉枠Ｗ１の取付位置を変更しても一対のスライダ３０は接近しているので本体開口部１０とポケット開口部２０は共に閉状態が維持される。よって、両開口部１０，２０を共に閉状態に維持したままで玉枠Ｗ１をスライドファスナーに沿って任意の位置に移動させることができる。また、一対の玉網止め具４１のうちの一方のみを使用すれば、図４のように玉枠Ｗ１を取り付けた状態のままで、使用していないスライダ３０を操作して本体開口部１０あるいはポケット開口部２０を開閉することもできる。
【００２４】
また、図４のように玉枠Ｗ１をケースの側方に取り付ける他にも、図５に示すように玉枠Ｗ１がケースの上方に突出するようにして玉の柄Ｗ２を竿収納部２に差し込んだ場合には、上方に突出する玉枠Ｗ１を本体開口部１０の二つの玉網止め具４１によって確実に繋止することができる。
【００２５】
尚、本実施形態では、本体開口部１０とポケット開口部２０の双方に玉網止め具４１を一対設けたが、一つずつ設けてもよい。但し、一対ずつ設けることにより、両開口部１０，２０を共に閉状態としたまま玉枠Ｗ１を移動させることができるという利点がある。また、仮に釣り場で一対の玉網止め具４１のうちの一方の玉網止め具４１が破損しても他方の玉網止め具４１を使用すれば帰路においても同様に玉枠Ｗ１を図４のようにして持ち帰ることができる。
【００２６】
また、ポケット開口部２０のスライダ３０はシングルであってもよく、その場合、ポケット開口部２０のスライドファスナーはスライダ３０が上端部に位置したときに閉状態となるようにすることにより、同様に図４のように本体開口部１０の玉網止め具４１と共に確実に取り付けることができる。
【００２７】
更に、本体開口部１０のみ、あるいは、ポケット開口部２０のみに、玉網止め具４１を設けてもよく、その個数についても釣竿ケースにつき一つであってもよい。
【００２８】
また、玉網止め具４１の構成についても適宜設計変更可能であり、上記実施形態では一対の繋止片５０から構成したが、例えば、図６に示すように一つの繋止片５０の先端部側を基端部側に折り返してループ状として玉枠Ｗ１を繋止するようにしてもよい。但し、図６のような構成の場合、繋止片５０を網の目に通す必要があるので寒い時期や暗い場所では少々作業しにくい場合もあるが、上記実施形態のように一対の繋止片５０から構成すれば、両繋止片５０を図３のように大きく開いてその間に玉枠Ｗ１を差し入れ、しかる後に両繋止片５０を閉じればよいので、玉枠Ｗ１の取り付け、取り外しの作業がより一層楽に行えるという利点がある。尚、一対の繋止片５０とする場合でもそれらを必ずしも一枚のシート部材から構成する必要はなく、二枚のシート部材から構成しても無論よい。
【００２９】
また更に、スライダ３０を頭合わせに一対設ける場合においては、各スライダ３０に玉網止め具４１を設ける構成の他、例えば、図７のように各スライダ３０毎に繋止片５０を一つ設けて両繋止片５０から一つの玉網止め具４１を構成してもよい。図７の構成では、両繋止片５０の先端部のドット釦５１とスライダ本体３１との間にループが形成され、そのループで玉枠Ｗ１を繋止できる。但し、各スライダ３０毎に玉網止め具４１を設けることが好ましく、仮に一方の玉網止め具４１が破損しても他方の玉網止め具４１を使用することができるうえに、一方の玉網止め具４１のみで玉枠Ｗ１を繋止して他方の玉網止め具４１を引き操作して開口部を開閉するという使い方もできる。
【００３０】
尚、シート部材からなる繋止片５０を用いたが、玉網止め具４１の構成はこれに限らず合成樹脂成型品や金属製の部材から玉網止め具４１を構成してもよい。但し、シート部材から構成することにより、薄くできるので玉枠Ｗ１を取り付けない場合でも邪魔になりにくい。しかも、柔軟であるので玉枠Ｗ１を繋止する際にその玉枠Ｗ１の太さに応じて容易に変形させることができ、取り付け、取り外しの作業が容易になる。
【００３１】
【発明の効果】
以上のように、スライドファスナーのスライダに玉網止め具が設けられているので、該玉網止め具により玉網を釣竿ケースに取り付けることができるうえに、玉網を手で持つ場合等のように玉網止め具に玉網を取り付けない場合であっても、玉網止め具がスライダの引き手として機能するので無駄になることもない。
【図面の簡単な説明】
【図１】本発明の一実施形態における釣竿ケースを示す斜視図。
【図２】同釣竿ケースの要部平面図。
【図３】同釣竿ケースの要部正面図。
【図４】同釣竿ケースの使用状態を示す図。
【図５】同釣竿ケースの他の使用状態を示す図。
【図６】他の実施形態における釣竿ケースの要部正面図。
【図７】他の実施形態における釣竿ケースの要部正面図。
【符号の説明】
１…ケース本体、２…竿収納部、３…ポケット、４…肩掛けベルト、５…把手、６…背面、７…前面、８…側面、１０…本体開口部、１１…底キャップ、２０…ポケット開口部、３０…スライダ、３１…スライダ本体、３１ａ…頭部、３１ｂ…尻部、３１ｃ…支持柱部、３２…引き手、４０…引き手本体、４１…玉網止め具、５０…繋止片、５１…ドット釦、５２…固定具、Ｗ…玉網、Ｗ１…玉枠、Ｗ２…玉の柄
【図１】
2004344124.tif 000003
【図２】
2004344124.tif 000004
【図３】
2004344124.tif 000005
【図４】
2004344124.tif 000006
【図５】
2004344124.tif 000007
【図６】
2004344124.tif 000008
【図７】
2004344124.tif 000009